【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
自機器の設置された設置場所を認識する設置場所認識手段と、
前記設置場所と、認識する状況の内容とを関連付ける情報を保持する情報保持手段と、
前記設置場所認識手段による認識結果と前記関連付ける情報とに従って、前記認識する状況を決定する決定手段と、
前記決定手段で決定された状況を認識する状況認識手段と、
前記状況認識手段による前記状況の認識結果をユーザに通知する通知手段と
を有することを特徴とする状況モニタリング装置。
【請求項２】
自機器の設置された設置場所を認識する設置場所認識手段と、
対象物を認識する対象物認識手段と、
前記設置場所と、認識する前記対象物及び認識する状況とを関連付ける情報を保持する情報保持手段と、
前記設置場所認識手段による認識結果と前記関連付ける情報とに従って、前記認識する対象物と認識する状況とを決定する決定手段と、
前記決定手段で決定された対象物が前記決定手段で決定された状況であることを認識する状況認識手段と、
前記状況認識手段による前記状況の認識結果をユーザに通知する通知手段と
を有することを特徴とする状況モニタリング装置。
【請求項３】
特定の対象物を認識する対象物認識手段と、
前記対象物と、認識する状況とを関連付ける情報を保持する情報保持手段と、
前記対象物認識手段による認識結果と前記関連付ける情報とに従って、前記認識する状況を決定する決定手段と、
前記対象物認識手段で認識された対象物が前記決定手段で決定された状況であることを認識する状況認識手段と、
前記状況認識手段による前記状況の認識結果をユーザに通知する通知手段と
を有することを特徴とする状況モニタリング装置。
【請求項４】
前記状況認識手段は、画像データを取得する取得手段を備え、取得した画像データから前記状況を認識することを特徴とする請求項１乃至３のいずれか１項に記載の状況モニタリング装置。
【請求項５】
前記設置場所認識手段は、画像データを取得する取得手段を備え、取得した画像データから前記設置場所を認識することを特徴とする請求項１又は２に記載の状況モニタリング装置。
【請求項６】
前記設置場所認識手段は、予め定められた条件を検出した場合に前記設置場所の認識処理を開始することを特徴とする請求項１又は２に記載の状況モニタリング装置。
【請求項７】
前記予め定められた条件とは、撮像された画像の変化であることを特徴とする請求項６に記載の状況モニタリング装置。
【請求項８】
前記設置場所認識手段は、自機器の移動を感知するセンサを備え、前記予め定められた条件とは、当該センサからの情報の変化であることを特徴とする請求項６に記載の状況モニタリング装置。
【請求項９】
自装置の動作に必要なパラメータを入力する操作部を更に有し、前記予め定められた条件とは、当該操作部に対するユーザの特定の入力操作であることを特徴とする請求項６に記載の状況モニタリング装置。
【請求項１０】
前記予め定められた条件とは、自装置の電源投入であることを特徴とする請求項６に記載の状況モニタリング装置。
【請求項１１】
前記予め定められた条件とは、予め定めるタイミングであることを特徴とする請求項６に記載の状況モニタリング装置。
【請求項１２】
前記通知手段は、前記設置場所認識手段により前記設置場所の変更が認識されたことをユーザに更に通知することを特徴とする請求項１、２、５〜１１のいずれか１項に記載の状況モニタリング装置。
【請求項１３】
前記通知手段は、認識する対象が変更されたことをユーザに更に通知することを特徴とする請求項１乃至３のいずれか１項に記載の状況モニタリング装置。
【請求項１４】
自機器の動作に必要なパラメータを入力する操作部を更に有し、予め定められた条件で前記関連付ける情報の更新を促すインターフェースを当該操作部に提示することを特徴とする請求項１または２に記載の状況モニタリング装置。
【請求項１５】
前記予め定められた条件とは、前記設置場所認識手段が前記設置場所の移動を認識した場合であることを特徴とする請求項１４に記載の状況モニタリング装置。
【請求項１６】
前記予め定められた条件とは、前記設置場所認識手段が前記関連付ける情報に登録されてない設置場所を認識した場合であることを特徴とする請求項１４に記載の状況モニタリング装置。
【請求項１７】
自機器の動作に必要なパラメータを入力する操作部を更に有し、予め定められた条件で前記関連付ける情報の更新を促すインターフェースを当該操作部に提示することを特徴とする請求項３に記載の状況モニタリング装置。
【請求項１８】
前記予め定められた条件とは、前記対象物認識手段が前記関連付ける情報に登録されてない対象物を認識した場合であることを特徴とする請求項１７に記載の状況モニタリング装置。
【請求項１９】
前記決定手段は、前記設置場所認識手段が前記関連付ける情報に登録されてない設置場所を認識した場合、予め定めるデフォルトの状況を設定することを特徴とする請求項１または２に記載の状況モニタリング装置。
【請求項２０】
前記決定手段は、前記対象物認識手段が前記関連付ける情報に設定されてない対象物を認識した場合、予め定めるデフォルトの状況を設定することを特徴とする請求項３に記載の状況モニタリング装置。
【請求項２１】
前記状況認識手段は、認識された場所に対応する対象物が複数存在する場合、予め定める優先度に従って状況の認識を行うことを特徴とする請求項１乃至２０のいずれか１項に記載の状況モニタリング装置。
【請求項２２】
自機器が主要部と周辺部とに分離する構造を有しており、前記設置場所認識手段で設置場所を認識するための情報が前記周辺部に保持されていることを特徴とする請求項１又は２に記載の状況モニタリング装置。
【請求項２３】
前記設置場所認識手段は、外部装置或いは自機器に近接する外部デバイスと通信する外部通信手段を更に有し、前記外部装置の発する情報或いは前記外部デバイスの保持する情報に従って、前記設置場所を認識することを特徴とする請求項１又は２に記載の状況モニタリング装置。
【請求項２４】
自装置と分離した操作部及び当該操作部と通信する操作部通信手段を更に有し、前記操作部を介して当該自装置の動作に必要なパラメータの設定を行うことを特徴とする請求項１乃至３のいずれか１項に記載の状況モニタリング装置。
【請求項２５】
ネットワークに接続する接続手段とサーバ手段とを更に有し、当該サーバ手段を介して外部装置から自機器の動作に必要なパラメータの設定を行うことを特徴とする請求項１乃至２４のいずれか１項に記載の状況モニタリング装置。
【請求項２６】
前記サーバ手段は、ＨＴＴＰ（Hyper Text Transfer Protocol）サーバであることを特徴とする請求項２５に記載の状況モニタリング装置。
【請求項２７】
請求項１乃至２６のいずれか１項に記載の状況モニタリング装置と、
ネットワークに接続する接続手段とを有し、
前記状況認識手段で実行する処理アルゴリズムが前記ネットワークに接続された他の外部装置に保持されることを特徴とする状況モニタリングシステム。
【請求項２８】
対象物の状況を解析する状況解析手段と、
当該状況解析手段の出力から状況を判別する判別手段と、
前記状況解析手段の出力に基づく状況を、予め定められた信号に変換する状況符号化手段と、
前記状況符号化手段の出力を用いて前記状況解析手段の出力をユーザに通報する通報手段と
を有することを特徴とする状況モニタリング装置。
【請求項２９】
前記予め定められた信号は状況を表す図形シンボル情報、文字情報、音声情報、発光パターン情報の少なくとも１つを予め定められた方法で符号化した信号であることを特徴とする請求項２８に記載の状況モニタリング装置。
【請求項３０】
更に、前記状況解析手段の出力に基づいて予め定められた通報先から少なくとも１つの通信先を選択する制御手段を備えることを特徴とする請求項２８または２９に記載の状況モニタリング装置。
【請求項３１】
対象物を識別する対象物識別手段を更に有し、
前記制御手段は、前記対象物識別手段の出力と当該対象物に対する前記状況解析手段の出力とに基づいて予め定められた通報先から少なくとも１つの通信先を選択すること特徴とする請求項３０に記載の状況モニタリング装置。
【請求項３２】
場所を識別する場所識別手段を更に有し、
前記制御手段は、前記場所識別手段の出力と前記状況解析手段の出力とに基づいて予め定められた通報先から少なくとも１つの通信先を選択することを特徴とする請求項３０に記載の状況モニタリング装置。
【請求項３３】
対象物を識別する対象物識別手段と、
場所を識別する場所識別手段と、を更に有し、
前記制御手段は、前記対象物識別手段の出力及び前記場所識別手段の出力及び前記状況解析手段の出力に基づいて予め定められた通報先から少なくとも１つの通信先を選択することを特徴とする請求項３０に記載の状況モニタリング装置。
【請求項３４】
時間を管理する時間管理手段を更に有し、
前記制御手段は、前記時間管理手段の出力と前記状況解析手段の出力とに基づいて予め定められた通報先からから少なくとも１つの通信先を選択することを特徴とする請求項３０乃至３３のいずれか１項に記載の状況モニタリング装置。
【請求項３５】
前記通報手段を複数有し、前記状況解析手段の出力に基づいて当該複数の通報手段の中から少なくとも１つの通信先を選択する制御手段を備えることを特徴とする請求項２８または２９に記載の状況モニタリング装置。
【請求項３６】
対象物を識別する対象物識別手段を更に有し、
前記制御手段は、前記対象物識別手段の出力と前記対象物に対する状況解析手段の出力とに基づいて、前記複数の通報手段の中から少なくとも１つの通信先を選択することを特徴とする請求項３５に記載の状況モニタリング装置。
【請求項３７】
場所を識別する場所識別手段を更に有し、
前記制御手段は、前記場所識別手段の出力と前記状況解析手段の出力とに基づいて、前記複数の通報手段の中から少なくとも１つの通信先を選択することを特徴とする請求項３５に記載の状況モニタリング装置。
【請求項３８】
対象物を識別する対象物識別手段と、
場所を識別する場所識別手段と、を更に有し、
前記制御手段は、前記対象物識別手段の出力及び当該場所識別手段の出力及び前記状況解析手段の出力に基づいて前記複数の通報手段の中から少なくとも１つの通信先を選択することを特徴とする請求項３５に記載の状況モニタリング装置。
【請求項３９】
時間を管理する時間管理手段を更に有し、
前記制御手段は、前記時間管理手段の出力と前記状況解析手段の出力とに基づいて前記複数の通報手段の中から少なくとも１つの通信先を選択することを特徴とする請求項３５乃至３８のいずれか１項に記載の状況モニタリング装置。
【請求項４０】
前記状況解析手段は画像データを取得する画像データ取得手段を有し、前記画像データ取得手段により取得された画像データから状況を解析することを特徴とする請求項２８乃至３９のいずれか１項に記載の状況モニタリング装置。
【請求項４１】
前記対象物識別手段は、画像データを取得する画像データ取得手段を有し、前記画像データ取得手段により取得された画像データを用いて対象物を識別することを特徴とする請求項３１、３３、３６、３８のいずれか１項に記載の状況モニタリング装置。
【請求項４２】
前記場所識別手段は、画像データを取得する画像データ取得手段を有し、前記画像データ取得手段により取得された画像データから自装置の設置場所を識別することを特徴とする請求項３２、３３、３７、３８のいずれか１項に記載の状況モニタリング装置。
【請求項４３】
ネットワークに接続する接続手段と、
サーバ手段と、を更に有し、
当該サーバ手段を介して外部装置から自装置の動作に必要なパラメータの設定が可能であることを特徴とする請求項２８乃至４２のいずれか１項に記載の状況モニタリング装置。
【請求項４４】
前記パラメータは、前記通報先を選択する制御手段の制御パラメータであることを特徴とする請求項４３に記載の状況モニタリング装置。
【請求項４５】
前記パラメータは、前記通報手段を選択する制御手段の制御パラメータであることを特徴とする請求項４３に記載の状況モニタリング装置。
【請求項４６】
前記サーバ手段は、ＨＴＴＰ(Hyper Text Transfer Protocol）サーバであることを特徴とする請求項４３乃至４５のいずれか１項に記載の状況モニタリング装置。
【手続補正２】
【補正対象書類名】明細書
【補正対象項目名】００１０
【補正方法】変更
【補正の内容】
【００１０】
上記の目的を達成するために本発明に係る状況モニタリング装置は以下のような構成を備える。すなわち、
自機器の設置された設置場所を認識する設置場所認識手段と、
前記設置場所と、認識する状況の内容とを関連付ける情報を保持する情報保持手段と、
前記設置場所認識手段による認識結果と前記関連付ける情報とに従って、前記認識する状況を決定する決定手段と、
前記決定手段で決定された状況を認識する状況認識手段と、
前記状況認識手段による前記状況の認識結果をユーザに通知する通知手段とを有する。
【手続補正３】
【補正対象書類名】明細書
【補正対象項目名】００１１
【補正方法】変更
【補正の内容】
【００１１】
また、上記の目的を達成するために本発明に係る他の状況モニタリング装置は以下の構成を備える。すなわち、
対象物の状況を解析する状況解析手段と、
当該状況解析手段の出力から状況を判別する判別手段と、
前記状況解析手段の出力に基づく状況を、予め定められた信号に変換する状況符号化手段と、
前記状況符号化手段の出力を用いて前記状況解析手段の出力をユーザに通報する通報手段とを有する。